(57)【要約】【課題】１つの表示装置に表示された複数画面に対して操作できる携帯情報機器を提案する。【解決手段】メイン表示部の上画面にメール受信ボックス画面が送信メール作成画面が表示されるとき、その画面の組合わせと、各画面への操作入力に有効なボタンとの対応として、メール受信ボックス画面を操作するためのボタンとして携帯電話の正面の上側に配備されているボタン（方向ボタン、セレクトボタン等）、送信メール作成画面を操作するためのボタンとして下側に配備されている数字ボタンや側面に配備されているサイドボタンのボタン入力が有効と規定されている。該当するボタンを操作することで対応する画面に対する操作入力を行なうことができる。【選択図】図７
2007193412.tif 000002
【特許請求の範囲】
【請求項１】
第１入力手段と第２入力手段とを含む入力手段と、
表示手段と、
第１タスクを処理し、前記表示手段に第１画面を表示する第１タスク処理手段と、
第２タスクを処理し、前記表示手段に第２画面を表示する第２タスク処理手段と、
前記第１タスク処理手段において前記第１タスクが処理され、前記第２タスク処理手段において前記第２タスクが処理されているときに、前記第１入力手段での操作入力を前記第１タスクに対する操作入力、前記第２入力手段での操作入力を前記第２タスクに対する操作入力とする対応を記憶する記憶手段と、
前記対応にしたがって、前記第１入力手段からの入力信号を受信したときに前記第１タスク処理手段に前記第１入力手段を特定する信号を出力し、前記第２入力手段からの第２入力信号を受信したときに前記第２タスク処理手段に前記第２入力手段を特定する信号を出力する入力制御手段とを備える、携帯情報機器。
【請求項２】
アプリケーションを実行するアプリケーション実行手段をさらに備え、
前記第１タスクは前記アプリケーション実行手段で実行される第１のアプリケーションによるタスクであり、前記第２タスクは前記アプリケーション実行手段で実行される第２のアプリケーションによるタスクである、請求項１に記載の携帯情報機器。
【請求項３】
アプリケーションを実行するアプリケーション実行手段をさらに備え、
前記第１タスクおよび前記第２タスクは、各々、前記アプリケーション実行手段で実行される第１のアプリケーションによる、異なるタスクである、請求項１に記載の携帯情報機器。
【請求項４】
前記表示手段における前記第１画面および前記第２画面の表示位置関係と、前記第１入力手段および前記第２入力手段の当該携帯情報機器に配備される位置関係とに応じて、前記対応が規定される、請求項１に記載の携帯情報機器。
【請求項５】
前記表示手段の表示領域は上下方向に分割されて、上側から第１番目の表示領域に前記第１画面、第２番目の表示領域に前記第２画面が表示されるとき、当該携帯情報機器の前記入力手段が配備される部分において、上方に前記第１入力手段が配備され、その下方に前記第２入力手段が配備される、請求項４に記載の携帯情報機器。
【請求項６】
入力手段と、表示手段と、タスクを処理するタスク処理手段とを備える携帯情報機器における入力処理をコンピュータに実行させる情報処理プログラムであって、
前記タスクは第１タスクと第２タスクとを含み、
前記タスク処理手段は前記第１タスクを処理する第１タスク処理手段と前記第２タスクを処理する第２タスク処理手段とを含み、
前記第１タスク処理手段において前記第１タスクを処理し、前記第２タスク処理手段において前記第２タスクを処理し、前記第１タスクに対応した第１画面および前記第２タスクに対応した第２画面を含む画面を表示するタスク処理ステップと、
前記入力手段からの入力信号を受信したときに、前記入力手段を特定する信号を前記タスク処理手段に出力する入力制御ステップとを実行させ、
前記入力手段は第１入力手段と第２入力手段とを含み、
前記記憶手段は、前記第１タスク処理手段において前記第１タスクが処理され前記第２タスク処理手段において前記第２タスクが処理されているときに、前記第１入力手段での操作入力を前記第１タスクに対する操作入力、前記第２入力手段での操作入力を前記第２タスクに対する操作入力とする対応を記憶し、
前記入力制御ステップにおいては、前記対応にしたがって、前記第１入力手段からの入力信号を受信したときに前記第１タスク処理手段に前記第１入力手段を特定する前記信号を出力し、前記第２入力手段からの第２入力信号を受信したときに前記第２タスク処理手段に前記第２入力手段を特定する前記信号を出力する、情報処理プログラム。
【発明の詳細な説明】
【技術分野】
【０００１】
この発明は携帯情報機器および情報処理プログラムに関し、特に、１つの表示装置に表示された複数画面に対して操作する携帯情報機器および情報処理プログラムに関する。
【背景技術】
【０００２】
携帯電話機などの情報処理装置にあって、表示装置に複数の画面を表示し、入力装置で各画面に対する操作入力を受付けるものがある。
【０００３】
そのような場合の入力方法として、たとえば、以下の特許文献１には、表示装置に複数の単位からなるデータを表示する電子機機器であって、データの各単位に対応したスイッチを備え、そのスイッチの操作によって、対応するデータの単位に対する操作入力を行なう方法が記載されている。
【０００４】
また、以下の特許文献２には、表示部に、入力キーの位置に対応した複数の画面を表示する携帯型情報処理装置であって、表示された画面のうち操作入力対象とする画面を上記入力キーで選択することでその画面に対する操作入力が可能な状態に切替える方法が記載されている。
【０００５】
また、以下の特許文献３には、メール閲覧およびメール編集を行なう装置であって、表示部にメール編集画面とメール参照画面とを表示し、カーソル操作によって操作画面を選択する方法が記載されている。
【特許文献１】特開平１０−１２４２６０号公報
【特許文献２】特開２００３−２０９６０９号公報
【特許文献３】特開２００４−３４１７７８号公報
【発明の開示】
【発明が解決しようとする課題】
【０００６】
しかしながら、表示部に複数の画面が表示されているときにいずれかの画面に対する操作入力を行なう際には、上述のように操作画面を切替える操作が必要となり、手間がかかるという問題があった。特に、携帯電話機などの少ない入力装置を備える携帯情報機器においては操作画面を切替えるための入力装置を確保するのが難しい場合があるという問題もあった。または、操作画面を切替えるための操作方法を別に定める必要があるいう問題もあった。
【０００７】
本発明はこのような問題に鑑みてなされたものであって、表示装置に複数の画面を表示する場合において、画面操作を容易に行なうことのできる携帯情報機器および情報処理プログラムを提供することを目的とする。
【課題を解決するための手段】
【０００８】
上記目的を達成するために、本発明のある局面に従うと、携帯情報機器は、第１入力手段と第２入力手段とを含む入力手段と、表示手段と、第１タスクを処理し、表示手段に第１画面を表示する第１タスク処理手段と、第２タスクを処理し、表示手段に第２画面を表示する第２タスク処理手段と、第１タスク処理手段において第１タスクが処理され、第２タスク処理手段において第２タスクが処理されているときに、第１入力手段での操作入力を第１タスクに対する操作入力、第２入力手段での操作入力を第２タスクに対する操作入力とする対応を記憶する記憶手段と、その対応にしたがって、第１入力手段からの入力信号を受信したときに第１タスク処理手段に第１入力手段を特定する信号を出力し、第２入力手段からの第２入力信号を受信したときに第２タスク処理手段に第２入力手段を特定する信号を出力する入力制御手段とを備える。
【０００９】
さらに、携帯情報機器は、アプリケーションを実行するアプリケーション実行手段を備え、第１タスクはアプリケーション実行手段で実行される第１のアプリケーションによるタスクであり、第２タスクはアプリケーション実行手段で実行される第２のアプリケーションによるタスクであることが好ましい。
【００１０】
または、携帯情報機器はアプリケーションを実行するアプリケーション実行手段をさらに備え、第１タスクおよび第２タスクは、各々、アプリケーション実行手段で実行される第１のアプリケーションによる、異なるタスクであることが好ましい。
【００１１】
また、携帯情報機器においては、表示手段における第１画面および第２画面の表示位置関係と、第１入力手段および第２入力手段の当該携帯情報機器に配備される位置関係とに応じて、上記対応が規定されることが好ましい。
【００１２】
より詳しくは、表示手段の表示領域は上下方向に分割されて、上側から第１番目の表示領域に第１画面、第２番目の表示領域に第２画面が表示されるとき、当該携帯情報機器の入力手段が配備される部分において、上方に第１入力手段が配備され、その下方に第２入力手段が配備されることがより好ましい。
【００１３】
本発明の他の局面に従うと、情報処理プログラムは、入力手段と、表示手段と、タスクを処理するタスク処理手段とを備える携帯情報機器における入力処理をコンピュータに実行させる情報処理プログラムであって、タスクは第１タスクと第２タスクとを含み、タスク処理手段は第１タスクを処理する第１タスク処理手段と第２タスクを処理する第２タスク処理手段とを含み、第１タスク処理手段において第１タスクを処理し、第２タスク処理手段において第２タスクを処理し、第１タスクに対応した第１画面および第２タスクに対応した第２画面を含む画面を表示するタスク処理ステップと、入力手段からの入力信号を受信したときに、入力手段を特定する信号をタスク処理手段に出力する入力制御ステップとを実行させ、入力手段は第１入力手段と第２入力手段とを含み、記憶手段は、第１タスク処理手段において第１タスクが処理され第２タスク処理手段において第２タスクが処理されているときに、第１入力手段での操作入力を第１タスクに対する操作入力、第２入力手段での操作入力を第２タスクに対する操作入力とする対応を記憶し、入力制御ステップにおいては、上記対応にしたがって、第１入力手段からの入力信号を受信したときに第１タスク処理手段に第１入力手段を特定する信号を出力し、第２入力手段からの第２入力信号を受信したときに第２タスク処理手段に第２入力手段を特定する信号を出力する。
【発明の効果】
【００１４】
本発明にかかる携帯情報機器がこのように構成されることで、表示部に表示された第１画面と第２画面とを切替える操作を行なう必要なく第１画面および第２画面の両画面に対する操作入力を行なうことができる。
【００１５】
このため、第１画面と第２画面とを切替えるための入力手段を設定したり、他の機能が割当てられた入力手段で画面の切替えを操作するために特別な操作方法を設定したりする必要がなく、種類や数に制約のある携帯情報機器における入力手段であっても快適に両方の画面に対する操作入力を行なうことができる。
【発明を実施するための最良の形態】
【００１６】
以下に、図面を参照しつつ、本発明の実施の形態について説明する。以下の説明では、同一の部品および構成要素には同一の符号を付してある。それらの名称および機能も同じである。
【００１７】
本発明にかかる携帯情報機器の一例として、本実施の形態にかかる携帯情報機器は携帯電話機であり、より具体的にクラムシェルタイプ携帯電話機であるものとする。なお、本発明かかる情報処理装置は携帯電話機に限定されず、たとえば、ＰＤＡ（Personal Digital Assistance）、パーソナルコンピュータ、ノート型パーソナルコンピュータ、携帯型モバイル装置、電子辞書等であってもよい。
【００１８】
図１〜図３は、本実施の形態にかかる携帯電話機１０００の外観の具体例を示す図であり、図１は開いた状態の携帯電話機１０００を閉じた状態で内に畳まれる側（この側を正面とする）から示した図、図２は閉じた状態の携帯電話機１０００の斜視図、および図３は閉じた状態の携帯電話機１０００の背面を示した図である。
【００１９】
図１を参照して、携帯電話機１０００は、連結部５０により折畳み可能に接合された、第１筐体１００と第２筐体２００とを含んで構成される。
【００２０】
第１筐体１００の正面には、メイン表示部１１０Ａと、スピーカ１５０とが配備される。メイン表示部１１０Ａは、液晶ディスプレイ（ＬＣＤ（Liquid Crystal Display））、ＦＥＤ（Field Emission Display）、有機ＥＬディスプレイ（Organic Electro luminescence Display）、ドットマトリクス等その他の画像表示方式の表示機器のいずれであってもよい。
【００２１】
第２筐体２００の正面には、入力手段に該当する、機能ボタン群２３０と、入力ボタン群２４０と、マイク２６０とが配備される。
【００２２】
機能ボタン群２３０には、携帯電話機１０００の各種設定、機能切替等を行なうための、機能ボタン２３１，２３２と、受話ボタン２３３と、ボタン２３４と、マルチガイドボタン２３５とが含まれる。
【００２３】
さらに具体的には、機能ボタン２３１は、短時間（たとえば、０．５秒未満）押下操作（以下、短押操作）されることでネットワーク関連等のプログラムを起動させるためのボタンである。また、機能ボタン２３１は、長時間（たとえば、１秒以上）押下操作（以下、長押操作）されることでデジタルカメラのプログラムを起動させるためのボタンである。
【００２４】
また、機能ボタン２３２は、短押操作されることで電子メールのプログラム（メールアプリケーション）を起動させるためのボタンである。また、携帯電話機１０００は、音楽を聴取可能なモードである音楽モードと、ラジオを聴取可能なモードであるラジオモードと、テレビを視聴可能なモードであるテレビモードと、上記いずれのモードでもないときの通常モードとを有し、機能ボタン２３２は、長押操作されることでモードを切替えるためのボタンである。
【００２５】
また、受話ボタン２３３は、短押操作されることで通話開始を行なうためのボタンである。
【００２６】
また、ボタン２３４は、携帯電話機１０００が通話中である場合、短押操作により通話を保留状態にするためのボタンである。また、ボタン２３４は、長押操作により、携帯電話機１０００の電源のオンとオフとの切替を行なうためのボタンである。
【００２７】
マルチガイドボタン２３５は、４方向ボタンと、決定ボタンとを含む。４方向ボタンは、短押操作により、メイン表示部１１０Ａに画像が表示されている場合、画像内の移動させる対象となる物（たとえば、カーソル等）を上下左右に移動させるためのボタンである。決定ボタンは、短押操作により、たとえば、４方向ボタンの短押操作により選択された項目等を決定するためのボタンである。
【００２８】
入力ボタン群２４０は、短押操作により、数字、文字および記号等を入力するための複数のボタンから構成される。
【００２９】
図２を参照して、第１筐体１００の背面には、サブ表示部１１０Ｂと、サブ操作ボタン群１３０と、ＬＥＤ（Light Emitting Diode）１４０と、スピーカ１５２とが配備される。また、第２筐体２００の側面には、サイドボタン１３２と、記録媒体挿入部１８０とが配備される。
【００３０】
サブ表示部１１０Ｂは、メイン表示部１１０Ａと同様の表示機器である。サブ表示部１１０Ｂの解像度は、メイン表示部１１０Ａの解像度よりも低い。なお、サブ表示部１１０Ｂの解像度は、メイン表示部１１０Ａの解像度以上であってもよい。
【００３１】
なお、携帯電話機１０００は、メイン表示部１１０Ａおよびサブ表示部１１０Ｂのいずれか一方のみを備える構成であってもよい。
【００３２】
サブ操作ボタン群１３０には、ボタン１３０Ａ，１３０Ｂ，１３０Ｃ，１３０Ｄが含まれる。また、サイドボタン１３２には、アップボタン１３２Ａと、ダウンボタン１３２Ｂとが含まれる。これらのボタンは、携帯電話機１０００が閉じた状態であっても操作可能なボタンであって、音楽データの再生の開始／中断／終了／変更、サブ表示部１１０Ｂの表示の移動／変更、音声の音量の調節などをさせるためのボタンである。
【００３３】
ＬＥＤ１４０は、携帯電話機１０００で行なわれる処理に応じて、光による報知を行なう。たとえば、ＬＥＤ１４０は、電話の着信があった場合、光を点滅させる。
【００３４】
記録媒体挿入部１８０は、携帯電話機１０００に後述する記録媒体を挿入する部分である。
【００３５】
図３を参照して、第２筐体２００の背面には、撮像部２７０と、発光部２７２とが配備される。
【００３６】
撮像部２７０は、撮像レンズと、受光部と、カラーフィルタ部とを含み、被写体を撮像する撮像処理を行なう。発光部２７２は、撮像部２７０が撮像するときに、必要に応じて、光を発する。
【００３７】
図４は、携帯電話機１０００の内部構成を示したブロック図である。図４を参照して、携帯電話機１０００は、上記構成に加えて、通信部３１０と、チューナ３２０と、記憶部３３０と、一時記憶部３３２と、記録媒体アクセス部３３４と、記録媒体７０と、制御部３４０と、音声処理部３５０と、振動部３７０とを備える。
【００３８】
制御部３４０はＣＰＵ（Central Processing Unit）などから構成されて、プログラムを実行することで携帯電話機１０００全体を制御する。
【００３９】
記憶部３３０には、制御部３４０で実行されるプログラムおよびデータ等が記憶されている。制御部３４０で実行されるプログラムは、たとえば、制御プログラム、画像処理プログラム、音楽再生プログラム、ラジオプログラム、テレビプログラム、電子メールプログラム、ゲームプログラム、ＷＥＢブラウザプログラム、動画再生プログラム等である。これらのプログラムは、アプリケーションプログラムともいわれる。なお、アプリケーションプログラムは、上記プログラムのみに限定されることはない。
【００４０】
制御部３４０は、記憶部３３０にアクセスし、必要なデータを取得する。記憶部３３０には、電気的にデータの読書可能な媒体（たとえばＲＡＭ（Random Access Memory））や、電源を供給されなくてもデータを不揮発的に保持可能な媒体（たとえば、フラッシュメモリ）が含まれる。
【００４１】
制御部３４０は、記憶部３３０に記憶されたプログラムや、基地局またはインターネットなどの外部のネットワークからダウンロードしたプログラムに従って、携帯電話機１０００内の各部に対する各種処理や、演算処理等を行なう。制御部３４０は、マイクロプロセッサ（Microprocessor）、ＦＰＧＡ（Field Programmable Gate Array）、ＡＳＩＣ（Application Specific Integrated Circuit）、その他の演算機能を有する回路のいずれであってもよい。このダウンロード用プログラムは、予め、記憶部３３０に格納されており、ダウンロード処理は、制御部３４０が、ダウンロード用プログラムに基づいて行なう。
【００４２】
制御部３４０は、機能ボタン群２３０、入力ボタン群２４０、サブボタン群１３０、およびサイドボタン１３２から、操作に対応するボタン信号を受信し、受信したボタン信号に応じた処理を行なう。
【００４３】
通信部３１０は、無線通信により電波の送受信処理を行なう。電波は、無線通信用電波と、放送信号電波とに分類される。無線通信用電波は、音声データ、文字データおよび画像データ等を含む電波である。放送信号電波は、さらに、テレビジョン信号と、ラジオ信号とに分類される。なお、通信部３１０は、電波が放送信号電波の場合は、受信処理のみ行なう。
【００４４】
通信部３１０は、無線通信用電波により基地局と通信を行なう。通信部３１０は、無線通信用電波を受信した場合、当該無線通信用電波を復調し、復調した無線通信用電波に基づくデータを、制御部３４０へ出力する。また、通信部３１０は、無線通信用電波を送信する場合、制御部３４０からデータ（たとえば、音声データ）を受取り、当該データを、所定のプロトコルに基づいて、無線通信用電波に変換する。そして、通信部３１０は、変換した無線通信用電波を、送信先となる基地局へ送信する。
【００４５】
また、通信部３１０は、無線データ通信機能を有する。無線データ通信機能は、ブルートゥース（Bluetooth）（登録商標）等の通信方式を使用して、無線でデータ通信を行なう機能である。通信部３１０は、制御部３４０からの制御指示に応じて、他の端末と無線でデータ通信を行なう。なお、無線データ通信は、ブルートゥースに限定されることなく、他の通信方式を使用してもよい。
【００４６】
また、通信部３１０は、テレビジョン信号である放送信号電波を受信した場合、放送信号電波を、チューナ３２０へ送信する。チューナ３２０は、テレビジョン信号である放送信号電波を受信した場合、制御部３４０により指示された、チャンネルの信号をデジタルデータ（以下、テレビジョンデータともいう）に変換して、制御部３４０へ送信する。変換されたテレビジョンデータには、画像データと、音声データとが含まれる。同様にして得られるラジオ信号には、音声データが含まれる。画像データに基づく画像はメイン表示部１１０Ａに表示され、音声データに基づく音声は音声処理部３５０で処理されてスピーカ１５２から出力される。
【００４７】
一時記憶部３３２は、データを一時的に記憶する。一時記憶部３３２は、制御部３４０においてプログラムが実行される際のワークメモリとして動作する。一時記憶部３３２は、ＲＡＭ、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory）、Ｄｉｒｅｃｔ−ＲＤＲＡＭ（Direct Rambus Dynamic Random Access Memory）、その他、データを揮発的に記憶保持可能な構成を有する回路のいずれであってもよい。
【００４８】
記録媒体７０は、携帯電話機１０００に対して着脱可能に接続、あるいは媒体または有線／無線によって接続されて、データの受渡しが可能な記録媒体である。具体的な記録媒体７０としては、ＳＤ（Secure Digital）メモリカード、ミニＳＤカード（登録商標）、ＣＦ（Compact Flash）カード、ＳＭ（Smart Media（登録商標））、ＭＭＣ（Multi Media Card）、メモリスティック（登録商標）、スマートメディア（登録商標）、ｘＤピクチャカードおよびＵＳＢメモリ、その他不揮発性メモリのいずれであってもよい。また、情報処理装置が携帯電話機１０００以外の装置である場合には、その装置に応じて、コンパクトフラッシュ（登録商標）、フレキシブルディスク、コンパクトディスク（登録商標）、ＣＤ−Ｒ（Compact Disk Recordable）、ＣＤ−ＲＷ（Compact Disk ReWritable）、ＤＶＤ−Ｒ（Recordable）、ＤＶＤ−ＲＷ（Digital Versatile Disk ReWritable）などであってもよい。記録媒体７０に上述のプログラムやコンテンツ等が記録されている場合、記録されているプログラムやコンテンツは、媒体等に記録されて流通される。また、記録媒体７０も流通される。
【００４９】
記録媒体７０が、前述の記録媒体挿入部１８０から携帯電話機１０００に挿入（装着）され、直接または有線／無線によって接続されると、記録媒体アクセス部３３４は、記録媒体７０にデータアクセス可能となる。記録媒体アクセス部３３４は制御部３４０の制御指示に応じて記録媒体７０にアクセスし、プログラム等の必要な情報を読出す。また、記録媒体アクセス部３３４は、以降に説明する処理に伴う制御部３４０の制御指示に応じて、記録媒体７０にアクセスして必要な情報を書込む。
【００５０】
音声処理部３５０は、デジタルデータである音声データ（以下、デジタル音声データともいう）をアナログ信号に変換する処理および音声データを含むアナログ信号（以下、アナログ音声信号ともいう）をデジタル音声データに変換する処理等を行なう。
【００５１】
音声処理部３５０は、制御部３４０からの制御指示に基づいて、制御部３４０から受取ったデジタル音声データをアナログ音声信号に変換し、スピーカから出力させる。
【００５２】
また、音声処理部３５０は、マイク２６０から、入力された音声に応じたアナログ音声信号を受信してデジタル音声データに変換し、制御部３４０に入力する。
【００５３】
メイン表示部１１０Ａおよびサブ表示部１１０Ｂは、制御部３４０からの制御指示に基づいて、制御部３４０から受取った画像データに基づく画像を表示する。
【００５４】
ＬＥＤ１４０は、制御部３４０からの制御指示に基づいて、光を発する。
撮像部２７０は、制御部３４０からの制御指示に基づいて撮像処理を行ない、撮像画像データを制御部３４０に入力する。制御部３４０は、撮像部２７０から受取った撮像画像データを記憶部３３０または記録媒体７０に記憶させる。
【００５５】
振動部３７０は、たとえば、電話の着信、電子メールの受信時に、制御部３４０からの制御指示に基づいて、携帯電話機１０００を振動させる。
【００５６】
図５は、携帯電話機１０００において本実施の形態にかかる入力処理を実行するための機能構成の具体例を示すブロック図である。図５に示される各部は、制御部３４０が、記憶部３３０に記憶されたプログラムや、基地局またはインターネットなどの外部のネットワークからダウンロードしたプログラムを実行することによって主に制御部３４０に形成される機能、または制御部３４０と図４に示される他の構成要素とによって形成される機能である。
【００５７】
図５を参照して、本実施の形態にかかる入力処理を実行するための携帯電話機１０００の機能には、入力部１Ａ，１Ｂ，１Ｃ…、入力制御部２、タスク処理部３Ａ，３Ｂ、テーブル記憶部４、および実行タスク記憶部５が含まれる。
【００５８】
入力部１Ａ，１Ｂ，１Ｃ…は、各々、機能ボタン群２３０、入力ボタン群２４０、サブボタン群１３０、およびサイドボタン１３２のうちの異なるいずれか１つまたは２つ以上のボタンが割当てられて構成され、これらのボタン操作による入力信号を入力制御部２に入力する。
【００５９】
タスク処理部３Ａ，３Ｂは、各々、制御部３４０からの制御信号にしたがって、指定されたタスクを処理し、メイン表示部１１０Ａに各タスクに対応した画面６Ａ，６Ｂを表示させる。タスク処理部３Ａ，３Ｂで処理される各タスクは、制御部３４０において異なる２つのアプリケーションＡ，Ｂが実行されて、アプリケーションＡに応じて制御部３４０から入力される制御信号Ａによって指定されるタスクＡ、およびアプリケーションＢに応じて制御部３４０から入力される制御信号Ｂによって指定されるタスクＢであってもよいし、制御部３４０において１つのアプリケーションＡが実行されて、アプリケーションＡに応じて制御部３４０から入力される制御信号Ａ，Ｂよって指定されるタスクＡ，Ｂであってもよい。
【００６０】
実行タスク記憶部５は記憶部３３０および／または制御部３４０などで構成されて、タスク処理部３Ａ，３Ｂで処理されることで実行されているタスクを特定する情報を記憶する。
【００６１】
テーブル記憶部４は記憶部３３０および／または制御部３４０などで構成されて、タスク処理部３Ａ，３Ｂで実行される複数のタスクの組合わせと、そのタスクの組合わせのときに各タスクに対して操作入力を有効にする入力手段との対応を規定する対応テーブルを記憶する。
【００６２】
入力制御部２はプログラムに組込まれているソフトモジュールなどが制御部３４０で実行されることで制御部３４０に形成される機能である。入力制御部２は、入力部１Ａ，１Ｂ，１Ｃ…からの入力信号を受取り、実行タスク記憶部５を参照してタスク処理部３Ａ，３Ｂで実行されているタスクを特定し、上記テーブルを参照して、入力部１Ａ，１Ｂ，１Ｃ…のうち該当する入力部を特定する信号をタスク処理部３Ａ，３Ｂに渡す。
【００６３】
図６は、本実施の形態にかかる携帯電話機１０００において実行される情報管理処理の流れを示すフローチャートである。図６のフローチャートに示される処理は、入力制御部２が入力部１Ａ，１Ｂ，１Ｃ…からの入力信号を受信したときに開始される処理であって、主に、制御部３４０が記憶部３３０に記憶されたプログラム等を実行し、図４の各部を制御することによってソフトウェアで実現されてもよいし、一部は図４に示されたハードウェアで実現されてもよい。
【００６４】
図６を参照して、入力制御部２は入力部１Ａ，１Ｂ，１Ｃ…から入力信号を受信すると、実行タスク記憶部５を参照してタスク処理部３Ａ，３Ｂで実行されているタスクを特定する（ステップＳ１０１）。
【００６５】
次に、ステップＳ１０１で特定されたタスク処理部３Ａ，３Ｂで実行されているタスクの組合わせにおいて、入力部１Ａ，１Ｂ，１Ｃ…のうち各タスクに有効と設定されている入力部を特定する。そして、受信した入力信号が各タスクに有効と設定されている入力部のいずれかから受信した入力信号であるか否かを判定し（ステップＳ１０５）、該当する場合には（ステップＳ１０５でＹＥＳ）、入力信号を入力した入力部を特定する信号をタスク処理部３Ａ，３Ｂに入力し、そのタスクを処理するために実行されているアプリケーションに渡す（ステップＳ１０７）。
【００６６】
上記テーブルに規定されているタスク処理部３Ａ，３Ｂで実行される複数のタスクの組合わせと、そのタスクの組合わせのときに各タスクに対して操作入力を有効にする入力手段との対応は、予め設定されてテーブル記憶部４に記憶されているものであってもよいし、ユーザ操作によって設定されるものであってもよいし、さらに、当該携帯電話機１０００がユーザ認証機能を備える場合、認証された特定のユーザによる操作によって設定されるものであってもよい。
【００６７】
具体的に、制御部３４０でメールアプリケーションが実行されることでタスク処理部３Ａにおいてメール受信ボックス表示タスクが処理されて画面６Ａにメール受信ボックスが表示され、タスク処理部３Ｂにおいて送信メール作成タスクが処理されて画面６Ｂに送信メール作成画面が表示されている場合について説明する。このとき、上記テーブルにおいて、メール受信ボックス表示タスクと送信メール作成タスクとが処理されている場合にメール受信ボックス表示タスクに対しては方向ボタン、セレクトボタンなどのボタン入力が有効、送信メール作成タスクに対しては数字ボタン、サイドボタンなどのボタン入力が有効と規定されているものとする。
【００６８】
入力制御部２はいずれかのボタン操作による入力信号を受信すると、上記ステップＳ１０１においてメール受信ボックス表示タスクと送信メール作成タスクとが処理されていることを特定し、さらに上記ステップＳ１０３においてメール受信ボックス表示タスクに対しては方向ボタン、セレクトボタンなどのボタン入力が有効、送信メール作成タスクに対しては数字ボタン、サイドボタンなどのボタン入力が有効と規定されていることを特定する。受信した入力信号がそのいずれかのボタン操作によるものである場合、そのボタンを特定する信号をメールアプリケーションに渡し、該当しない場合にはメールアプリケーションに渡さない。
【００６９】
本実施の形態にかかる携帯電話機１０００においてこのような入力処理が実行されることで、受信メールの内容を確認しながらメールを作成する際に、受信メールの内容を表示する画面とメール作成のための画面とを切替える操作を行なうことなく両方の画面に対する操作入力を行なうことができる。
【００７０】
また、制御部３４０でミュージックプレイヤ（音楽再生プログラム）とＷＥＢブラウザプログラムとが実行されることでタスク処理部３Ａにおいて音楽再生タスクが処理されて画面６Ａに音楽再生画面が表示され、タスク処理部３ＢにおいてＷＥＢブラウザタスクが処理されて画面６ＢにＷＥＢブラウザ画面が表示されており、上記テーブルにおいて、音楽再生タスクとＷＥＢブラウザタスクとが処理されている場合に音楽再生タスクに対しては数字ボタン、サイドボタンなどのボタン入力が有効、ＷＥＢブラウザタスクに対しては方向ボタン、セレクトボタンなどのボタン入力が有効と規定されているものとする。
【００７１】
このときも同様に、入力制御部２は、上記ステップＳ１０１において音楽再生タスクとＷＥＢブラウザタスクとが処理されていることを特定し、さらに上記ステップＳ１０３において音楽再生タスクに対しては数字ボタン、サイドボタンなどのボタン入力が有効、ＷＥＢブラウザタスクに対しては方向ボタン、セレクトボタンなどのボタン入力が有効と規定されていることを特定する。受信した入力信号がそのいずれかのボタン操作によるものである場合、そのボタンを特定する信号を音楽再生プログラムおよび／またはＷＥＢブラウザプログラムに渡し、該当しない場合にはそれらのプログラムに渡さない。
【００７２】
本実施の形態にかかる携帯電話機１０００においてこのような入力処理が実行されることで、音楽を聴きながらＷｅｂページを閲覧する際に、ミュージックプレイヤの操作画面とＷｅｂページ閲覧画面とを切替える操作を行なうことなく両方の画面に対する操作入力を行なうことができる。
【００７３】
このため、ボタン群の中に画面を切替えるためのボタンを設定したり、他の機能が割当てられたボタンで画面の切替えを操作するために特別な操作方法を設定したりする必要がなく、携帯電話機１０００に配備される数や種類に制約があって少ないボタンであっても、快適に両方の画面に対する操作入力を行なうことができる。
【００７４】
なお、画面Ａ，Ｂの表示される位置が予め定められている場合、上記テーブルにおいてその表示位置に応じたボタンのボタン入力が有効と規定されていることが好ましい。具体的には、メイン表示部１１０Ａが上画面および下画面に２分され、図７（Ｃ）に示されるように、図７（Ａ）に示されるメール受信ボックス画面が上画面に、図７（Ｂ）に示される送信メール作成画面が下画面に表示されると予め定められている場合のついて説明する。この場合、その表示位置に応じて、メール受信ボックス画面を操作するためのボタンとして第２筐体２００の正面の上側に配備されている機能ボタン群２３０に含まれるボタン（方向ボタン、セレクトボタン等）、送信メール作成画面を操作するためのボタンとして第２筐体２００の正面の下側に配備されている入力ボタン群２４０に含まれる数字ボタンや第２筐体２００の側面に配備されているサイドボタン１３２のボタン入力が有効と規定されていることが好ましい。
【００７５】
上下画面にこのようにボタン入力が有効と規定されるボタンが割当てられることで、図７（Ｃ），（Ｄ）に示されるように、操作ボタンの割当てを視覚的に認識でき、操作性をより向上させることができる。
【００７６】
また、上述の具体例では携帯電話機１０００がタスク処理部３Ａ，３Ｂの機能を備えて２つのタスクを処理する場合における入力処理について説明したが、言うまでもなく３以上のタスク処理部の機能を備えて、３以上のタスクを処理する場合であっても同様の入力処理が行なわれるものとする。
【００７７】
さらに、上述の入力処理をコンピュータに実行させるための情報処理プログラムを提供することもできる。このようなプログラムは、コンピュータに付属するフレキシブルディスク、ＣＤ−ＲＯＭ、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００７８】
なお、本発明にかかる情報処理プログラムは、コンピュータのオペレーションシステム（ＯＳ）の一部として提供されるプログラムモジュールのうち、必要なモジュールを所定の配列で所定のタイミングで呼出して情報管理処理を実行させるものであってもよい。その場合、プログラム自体には上記モジュールが含まれずＯＳと協働して情報管理処理が実行される。このようなモジュールを含まないプログラムも、本発明にかかる情報処理プログラムに含まれ得る。
【００７９】
提供されるプログラム製品は、ハードディスクなどのプログラム格納部にインストールされて実行される。なお、プログラム製品は、プログラム自体と、プログラムが記録された記録媒体とを含む。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８１】
【図１】携帯電話機１０００の外観の具体例を示す図である。
【図２】携帯電話機１０００の外観の具体例を示す図である。
【図３】携帯電話機１０００の外観の具体例を示す図である。
【図４】携帯電話機１０００の内部構成を示したブロック図である。
【図５】携帯電話機１０００において入力処理を実行するための機能構成の具体例を示すブロック図である。
【図６】携帯電話機１０００において実行される情報管理処理の流れを示すフローチャートである。
【図７】メイン表示部１１０Ａに表示される２つの画面と各画面を操作するためのボタンとの具体例を示す図である。
【符号の説明】
【００８２】
１Ａ，１Ｂ，１Ｃ…  入力部、２  入力制御部、３Ａ，３Ｂ  タスク処理部、４  テーブル記憶部、５  実行タスク記憶部、６Ａ，６Ｂ  画面、５０  連結部、７０  記録媒体、１００  第１筐体、１１０Ａ  メイン表示部、１１０Ｂ  サブ表示部、１３０  サブ操作ボタン群、１３０Ａ，１３０Ｂ，１３０Ｃ，１３０Ｄ，２３４  ボタン、１４０  ＬＥＤ、１３２  サイドボタン、１３２Ａ  アップボタン、１３２Ｂ  ダウンボタン、１５０，１５２  スピーカ、１８０  記録媒体挿入部、２００  第２筐体、２３０  機能ボタン群、２３１，２３２  機能ボタン、２３３  受話ボタン、２３５  マルチガイドボタン、２４０  入力ボタン群、２６０  マイク、２７０  撮像部、２７２  発光部、３１０  通信部、３２０  チューナ、３３０  記憶部、３３２  一時記憶部、３３４  記録媒体アクセス部、３４０  制御部、３５０  音声処理部、３７０  振動部、１０００  携帯電話機。
【図１】
2007193412.tif 000003
【図２】
2007193412.tif 000004
【図３】
2007193412.tif 000005
【図４】
2007193412.tif 000006
【図５】
2007193412.tif 000007
【図６】
2007193412.tif 000008
【図７】
2007193412.tif 000009